(57)【要約】      （修正有）【課題】バズベイトと呼ばれる魚釣り用ルアーにおいて、ワイヤーに対して回転板体とビーズを遊動状態に取り付け、釣り糸の牽引により生じる水流抵抗によって回転板体が回転すると共に遊動し、これに伴って回転板体とビーズとが衝突することにより、間欠的に小さな音が生じるようにして、集魚性を高めることができる魚釣り用ルアーを提供する。【解決手段】回転板体６の釣り糸結着部７側には、ワイヤー２に対して鋭角をなす傾斜部６Ａが形成され、傾斜部６Ａにワイヤー２が貫通する長孔１０Ａを有し、長孔１０Ａの長さ方向に回転板体６が揺動自在であり、傾斜部６Ａの釣り糸結着部７側の面に当接するようにワイヤー２に移動可能に挿通されたビーズ１３を設け、傾斜部６Ａとビーズ１３との間欠接触による発音構成である。【選択図】図１
2017200445.tif 000002
【特許請求の範囲】
【請求項１】
釣り糸結着部側の第１支持部と前記釣り糸結着部から遠い側の第２支持部にてワイヤーに対して回転板体が回転自在に取り付けられたバズベイトと呼ばれる魚釣り用ルアーにおいて、
前記回転板体の前記釣り糸結着部側には、前記ワイヤーに対して鋭角をなす傾斜部が形成され、
前記第１支持部は、前記第２支持部の部分を支点として前記回転板体が前記ワイヤーに対して近接及び離間の揺動をする方向に形成された前記傾斜部の長孔を前記ワイヤーが貫通する構成であり、
前記傾斜部の前記釣り糸結着部側の面に当接するように前記ワイヤーに移動可能に挿通され、前記回転板体の回転及び前記揺動に伴い前記ワイヤーに沿って移動するビーズを設け、
前記傾斜部と前記ビーズとの間欠接触による発音構成である、
ことを特徴とする魚釣り用ルアー。
【請求項２】
前記回転板体は、平板形態であり、前記第２支持部の左右に逆向き関係の水流抵抗用ブレードを有し、前記傾斜部と前記ブレードとの間に平坦面を有し、
前記傾斜部の左右端縁が前記ビーズに向けて先細り状をなしその交差部が凸曲面をなし、
前記傾斜部は、前記平坦面に対し３０度〜４０度の傾斜をなす、
ことを特徴とする請求項１に記載の魚釣り用ルアー。
【発明の詳細な説明】
【技術分野】
【０００１】
本発明は、魚釣りに使用する魚釣り用ルアーに関し、特にバズベイトと呼ばれる魚釣り用ルアーに関する。
【背景技術】
【０００２】
魚釣りに使用するルアーのうち、バズベイト（ワイヤーベイトともいう）と呼ばれる魚釣り用ルアーがある。この魚釣り用ルアーを釣り糸に取り付けて釣りを行うとき、この魚釣り用ルアーに備えたおびき擬餌である回転板体が釣り糸の牽引により生じる水流抵抗によって回転し、この回転に伴って生じる水はねや泡等によって魚を誘い釣り上げるものがある（特許文献１参照）。
【先行技術文献】
【特許文献】
【０００３】
【特許文献１】特開平０７−１１５８７５号公報
【発明の概要】
【発明が解決しようとする課題】
【０００４】
特許文献１の魚釣り用ルアーは、回転板体の改良によって、魚が興味を示す水しぶきや泡等を回転板体の後方に発生させるだけでなく、前方への水しぶきや泡等を発生させるようにして、魚の食いを誘うように改良したものである。
【０００５】
本発明は、特許文献１のものとは異なり、おびき擬餌である回転板体の回転に加えて、回転板体の回転に伴って音を発生させ、回転板体の回転に伴って集魚性を高めることができる魚釣り用ルアーを提供するものである。
このため、バズベイトと呼ばれる魚釣り用ルアーにおいて、ワイヤーに対して回転板体とビーズを遊動状態に取り付け、釣り糸の牽引により生じる水流抵抗によって回転板体が回転すると共に遊動し、これに伴って回転板体とビーズとが衝突することにより、間欠的に小さな音が生じるようにする。
【課題を解決するための手段】
【０００６】
本発明は、釣り糸結着部側の第１支持部と前記釣り糸結着部から遠い側の第２支持部にてワイヤーに対して回転板体が回転自在に取り付けられたバズベイトと呼ばれる魚釣り用ルアーにおいて、
前記回転板体の前記釣り糸結着部側には、前記ワイヤーに対して鋭角をなす傾斜部が形成され、
前記第１支持部は、前記第２支持部の部分を支点として前記回転板体が前記ワイヤーに対して近接及び離間の揺動をする方向に形成された前記傾斜部の長孔を前記ワイヤーが貫通する構成であり、
前記傾斜部の前記釣り糸結着部側の面に当接するように前記ワイヤーに移動可能に挿通され、前記回転板体の回転及び前記揺動に伴い前記ワイヤーに沿って移動するビーズを設け、
前記傾斜部と前記ビーズとの間欠接触による発音構成である、
ことを特徴とする。
【０００７】
本発明は、更に、
前記回転板体は、平板形態であり、前記第２支持部の左右に逆向き関係の水流抵抗用ブレードを有し、前記傾斜部と前記ブレードとの間に平坦面を有し、
前記傾斜部の左右端縁が前記ビーズに向けて先細り状をなしその交差部が凸曲面をなし、
前記傾斜部は、前記平坦面に対し３０度〜４０度の傾斜をなす、
ことを特徴とする。
【発明の効果】
【０００８】
本発明では、釣り糸の牽引により生じる水流抵抗によって、回転板体が回転すると共に第１支持部の長孔の長さの範囲で、回転板体が第２アーム２Ｂに対して揺動することにより、その揺動に伴って生じるビーズとの間欠接触によって、小さな音が発生し、その音によって集魚性を高めることができ、魚の食いが向上する魚釣り用ルアーとなる。
【０００９】
本発明では、また、前記傾斜部の左右端縁が前記ビーズに向けて先細り状をなしその交差部が凸曲面をなし、前記傾斜部は、前記平坦面に対し３０度〜４０度の傾斜をなすことによって、回転板体の回転及び揺動、並びにビーズの安定した動作が達成できる。
【００１０】
本発明では、回転板体の回転及び揺動に伴うビーズとの間で発生する発音効果を安定して得るためには、長孔の幅は、回転板体の回転が許容される程度にワイヤーの直径よりも僅かに大きければよい。
もし、ワイヤーの直径よりも長孔の幅が広すぎる場合は、回転板体がワイヤーに対してガタツキを生じ、回転板体の回転及び揺動の安定動作が達成できず、またこの長孔にごみが付着し易くなって回転板体の回転及び揺動の安定動作が達成できなくなる懸念が生じる。
【図面の簡単な説明】
【００１１】
【図１】本発明に係る魚釣り用ルアーの全体の説明図である。
【図２】本発明に係る魚釣り用ルアーの回転板体の説明図である。
【図３】本発明に係る魚釣り用ルアーの回転板体とビーズの第１状態を示す説明図である。
【図４】本発明に係る魚釣り用ルアーの回転板体とビーズの第２状態を示す説明図である。
【発明を実施するための形態】
【００１２】
本発明は、釣り糸結着部側の第１支持部と前記釣り糸結着部から遠い側の第２支持部にてワイヤーに対して回転板体が回転自在に取り付けられたバズベイトと呼ばれる魚釣り用ルアーにおいて、
前記回転板体の前記釣り糸結着部側には、前記ワイヤーに対して鋭角をなす傾斜部が形成され、
前記第１支持部は、前記第２支持部の部分を支点として前記回転板体が前記ワイヤーに対して近接及び離間の揺動をする方向に形成された前記傾斜部の長孔を前記ワイヤーが貫通する構成であり、
前記傾斜部の前記釣り糸結着部側の面に当接するように前記ワイヤーに移動可能に挿通され、前記回転板体の回転及び前記揺動に伴い前記ワイヤーに沿って移動するビーズを設け、
前記傾斜部と前記ビーズとの間欠接触による発音構成である。
本発明の実施形態を以下に記載する。
【００１３】
本発明に係るバズベイトと呼ばれる魚釣り用ルアー１は、図１に示すように、ブラックバス、マス等の魚釣り用であり、ワイヤー２と、錘３と、スカート４と、釣り針５と、回転板体６を備え、ワイヤー２は、中間部にライン（釣り糸）８を結び着ける釣り糸結着部７をなすアイ７を湾曲して形成している。
【００１４】
ワイヤー２は、ばね用ステンレス製であり、中間部に釣り糸結着部７を屈曲形成し、釣り糸結着部７の一方側が直線状の第１アーム２Ａであり、他方側が直線状の第２アーム２Ｂであり、第２アーム２Ｂは、第１アーム２Ａに並行する形態である。このため、第２アーム２Ｂは、第１アーム２Ａから遠ざかる方向へ釣り糸結着部７から延出する横アーム部２Ｂ１から略直角状に屈曲する屈曲部９を経て形成される。
【００１５】
このように形成される第１アーム２Ａには、先端部に釣り針５が取り付けられ、釣り針５を覆うようにスカート４が取り付けられ、釣り針５の第１アーム２Ａへの取り付け部または釣り糸結着部７側に重り３が取り付けられている。スカート４は、水中で自在に変形する柔軟性のある耐水性の合成樹脂の多数の細い紐状をなし、例えばシリコンゴム材で形成する。
【００１６】
図１及び図２に示すように、回転板体６は、第１支持部１０と第２支持部１１にて、第２アーム２Ｂに回転自在に取り付けられている。第２アーム２Ｂの先端部には、第２支持部１１を支持する軸受け１２がカシメ等にて取り付けられ、回転板体６が軸受け１２に支えられる状態で回転自在である。
【００１７】
第１支持部１０は、回転板体６の釣り糸結着部７に近い側のヘッド部６Ｈに形成した貫通孔１０Ａに第２アーム２Ｂが挿通されることにより支持される部分である。また、第２支持部１１は、釣り糸結着部７から遠い側、即ちヘッド部６Ｈの反対側である後方に、回転板体６と一体の折り曲げにて形成した中空リング部１４に第２アーム２Ｂが挿通されることにより回転板体６が支持される部分である。中空リング部１４が軸受け１２に支持される状態で、回転板体６が回転自在である。
【００１８】
回転板体６は、耐水性材質で構成され、アルミニウムのように水に対して浮力が生じ易い材質で構成され、実施例では平板形態の１枚のアルミニウム板で構成される。図３に示すように、回転板体６は、釣り糸結着部７側であるヘッド部６Ｈに、第２アーム２Ｂに対する角度αが鋭角をなす傾斜部６Ａを形成し、第２支持部１１の左右に逆向き関係の水流抵抗用ブレード６Ｂを形成し、傾斜部６Ａとブレード６Ｂとの間に傾斜部６Ａとブレード６Ｂに連続する平坦面６Ｃを形成している。傾斜部６Ａは、平坦面６Ｃに対する角度θが、３０度〜４０度の傾斜をなす。実施例では略３５°である。
傾斜部６Ａを第２アーム２Ｂ及び平坦面６Ｃに対してこのような関係とすることによって、後述のように、釣り糸８を牽引する場合の回転板体６の回転及び揺動が円滑に行えるものとなる。
【００１９】
第１支持部１０の貫通孔１０Ａは、傾斜部６Ａに形成した前後方向の長孔１０Ａである。長孔１０Ａは、第２支持部１１の部分を支点として回転板体６の平坦面６Ｃが、第２アーム２Ｂに対して近接及び離間の揺動をする方向に、傾斜部６Ａを貫通して形成される。
【００２０】
傾斜部６Ａの釣り糸結着部７側の面に当接するように、第２アーム２Ｂに移動可能に挿通されるビーズ１３を設けている。ビーズ１３は、金属または合成樹脂等の耐水性材質で構成され、実施例では真鍮にメッキした中空または非中空の球状体で構成し、回転板体６の傾斜部６Ａと屈曲部９との間で、第２アーム２Ｂが挿通状態である。
【００２１】
図２に拡大で示すように、回転板体６は、長孔１０Ａの左右に対応する傾斜部６Ａの左右端縁６Ａ１が、ビーズ１３に向けて先細り状をなし、その交差部となるヘッド部６Ｈの先端６Ｐが凸曲面をなす。
【００２２】
上記のように第２アーム２Ｂにビーズ１３と回転板体６が取り付けられた状態で、ビーズ１３と回転板体６は、第２アーム２Ｂの屈曲部９と軸受け１２の間で前後移動可能である。これは、後述のような回転板体６の回転及び揺動、並びにビーズ１３の安定した動作を達成するためである。
【００２３】
上記のように第２アーム２Ｂにビーズ１３と回転板体６が取り付けられた魚釣り用ルアー１をゆっくり水中で遊泳させた場合は、水面近くに浮遊した状態であり、ビーズ１３は傾斜部６Ａの平面部に対峙した状態である。
この状態で釣り糸８を牽引することにより、水の抵抗によって、回転板体６は中空リング部１４が軸受け１２に支持される状態となり、魚釣り用ルアー１は浮上し、ブレード６Ｂで水の抵抗を受けることによって、回転板体６が水面付近で水しぶきを上げつつ回転し、恰も小魚が飛び跳ねる様子に似た状態となる。
【００２４】
釣り糸８を牽引する場合、回転板体６はこのような回転動作と共に傾斜部６Ａも水の抵抗を受ける。このため、傾斜部６Ａとブレード６Ｂの双方が受ける水の抵抗の状態によって、回転板体６は回転すると共に、傾斜部６Ａが受ける水の抵抗によって、回転板体６は、第２支持部１１の部分を支点としてヘッド部６Ｈが長孔１０Ａの長さの範囲で、第２アーム２Ｂに対して近接及び離間の揺動をし、回転板体６の平坦面６Ｃが、第２アーム２Ｂに対して近接及び離間の動きをする。
図３は、回転板体６の平坦面６Ｃが、第２アーム２Ｂに対して近接した一つの状態を示しており、図４は回転板体６の平坦面６Ｃが、第２アーム２Ｂに対して離間した一つの状態を示している。
【００２５】
このような回転板体６の回転によって、ビーズ１３が、第２アーム２Ｂに沿った前後移動を伴って、傾斜部６Ａの左右エッジを乗り越え傾斜部６Ａの平面部に当接する動作が連続して繰り返される。これと共に、回転板体６が第２アーム２Ｂに対して近接及び離間の動作をする。
長孔１０Ａの左右に対応する傾斜部６Ａの左右端縁が、ビーズ１３に向けて鋭角をなし、その交差部となるヘッド部６Ｈの先端６Ｐが凸曲面をなすことによって、これらの動作におけるビーズ１３の動きが円滑となり、回転板体６とビーズ１３がロックすることはない。
【００２６】
このように、ビーズ１３と傾斜部６Ａとの間欠接触によって、小さな音が発生し、その音によって集魚性を高めることができ、魚の食いが向上する魚釣り用ルアーとなる。
【００２７】
また、傾斜部６Ａは、平坦面６Ｃに対し３０度〜４０度の傾斜をなし、ビーズ１３が第２アーム２Ｂを移動する範囲は傾斜部６Ａの範囲であることによって、回転板体６の回転及び揺動、並びにビーズ１３の安定した動作が達成できる。
【００２８】
もし、ワイヤー２の直径よりも長孔１０Ａの幅が広すぎる場合は、回転板体６がワイヤー２に対してガタツキを生じ、回転板体６の回転及び揺動の安定動作が達成できず、またこの長孔１０Ａにごみが付着し易くなり、回転板体６の回転及び揺動の安定動作が達成できなくなる。
本発明では、長孔１０Ａの幅Ｈは、回転板体６の回転及び揺動が許容される程度にワイヤー２の直径Ｍ、即ち第２アーム２Ｂの直径Ｍよりも僅かに大きく設定している。これによって、長孔１０Ａにごみが付着し難く、また、ワイヤー２に対する回転板体６のガタツキが抑えられて回転板体６の回転及び揺動が安定することとなり、ビーズ１３と回転板体６との間で発生する発音効果を安定して得ることができる。
【００２９】
本発明は、上記のように、バズベイトと呼ばれる魚釣り用ルアーに適するものであるが、上記実施形態の構成に限定されることなく、本発明の範囲における種々の変更を包含するものである。
【符号の説明】
【００３０】
１・・・・魚釣り用ルアー
２・・・・ワイヤー
２Ａ・・・第１アーム
２Ｂ・・・第２アーム
３・・・・錘
４・・・・スカート
５・・・・釣り針
６・・・・回転板体
６Ａ・・・傾斜部
６Ｂ・・・ブレード
７・・・・釣り糸結着部
８・・・・ライン（釣り糸）
９・・・・屈曲部
１０・・・第１支持部
１０Ａ・・長孔
１１・・・第２支持部
１２・・・軸受け
１３・・・ビーズ
１４・・・中空リング部
【図１】
2017200445.tif 000003
【図２】
2017200445.tif 000004
【図３】
2017200445.tif 000005
【図４】
2017200445.tif 000006